(57)【特許請求の範囲】
【請求項１】
切換開閉器を介して送・配電線等と接続される集電接触子と、変圧器等のタップ巻線の各タップと接続される複数の固定接点のうちの任意の１個とを電気的に接続する可動接点において、前記可動接点は、前記集電接触子及び固定接点をその上，下方向から挟圧する中空状で、かつ、正面形状を長円形状となした偏平な管体からなる上，下一対の挟圧片と、これら一対の挟圧片を所定の間隔に保持する保持部材と、前記一対の挟圧片間に配置されるばね受け体と、前記ばね受け体内に収納されて、前記一対の挟圧片を互いに相対する方向に付勢する圧縮ばねと、前記圧縮ばね及びばね受け体を貫通して挟圧片の中空状の内周面に突出し、前記一対の挟圧片，圧縮ばね，ばね受け体を一体的に連結するボルト及びこれに螺合されるナットとを備えて構成したことを特徴とするタップ選択器の可動接点。
【請求項２】
前記ばね受け体は、開口部周縁に鍔部を設けて有底筒状に形成し、一対の挟圧片の上，下方向のいずれか一方から前記挟圧片に嵌着し、前記鍔部を挟圧片の上，下いずれかの端面に当接させて、前記一対の挟圧片間に配置したことを特徴とする請求項１記載のタップ選択器の可動接点。
【請求項３】
前記ばね受け体は、開口部周縁に鍔部を設けて有底筒状に形成し、一対の挟圧片の上，下方向から、各挟圧片に入れ違い状態で嵌着し、前記鍔部を挟圧片の上，下端面にそれぞれ当接させて、前記一対の挟圧片間に配置したことを特徴とする請求項１記載のタップ選択器の可動接点。
【請求項４】
前記一対の挟圧片には、圧縮ばね及びばね受け体を貫通して挟圧片の中空状の内周面に突出するボルトの先端部と対応する部位に、前記ボルトに螺合されるナットよりやや径大な透孔を、挟圧片の中空状の内周面と連通可能に穿孔し、前記ナットを透孔を利用して前記中空状の内周面において、挟圧片の上，下端面から突出させることなくボルトに螺合するようにしたことを特徴とする請求項１記載のタップ選択器の可動接点。
【発明の詳細な説明】
【０００１】
【発明の属する技術分野】
本発明は、タップ切換装置のタップ選択器に使用される可動接点の改良に関する。
【０００２】
【従来の技術】
従来から変圧器等には、電源電圧の変動や負荷電流の変化による電圧変動を補償して、負荷端の需要家における電圧をほぼ一定に保ち、良質の電力を供給するために、負荷時タップ切換装置が設けられており、前記タップ切換装置は、一般に、可動接点が間欠送り機構の駆動によって所定の角度回動し、集電接触子と任意の固定接点とを電気的に接続することにより、前記変圧器等に設けたタップ巻線のタップを切換えるように構成されている。
【０００３】
そして、前記集電接触子と任意の固定接点とを電気的に接続する可動接点としては、図５ないし７で示すようなものが使用されている。図５において、１は図示しない切換開閉器を介して送・配電線等に接続される例えば、円形状の集電接触子、２は変圧器等のタップ巻線の各タップ（図示せず）に接続され、例えば、前記集電接触子１の外側（図５の左側）に、その周方向に沿って放射状に複数配置した固定接点、３は前記集電接触子１と複数の固定接点２のうちの任意の１個とを電気的に接続する可動接点である。
【０００４】
次に、図６，７において、４，５は前記可動接点３の要部を構成する一対の挟圧片で、板状の導体の両端部（図６の左右端）を互いに相対する方向に曲成するとともに、図７で示すように、前記曲成した端部の角部の面取りを行うことにより丸みをもたせた状態で形成されており、前記一対の挟圧片４，５の曲成した両端部を集電接触子１及び固定接点２の上，下端面にそれぞれ当接させることにより、前記集電接触子１及び固定接点２を上，下方向から挟圧する。６は前記一対の挟圧片４，５間に介挿した保持部材で、前記挟圧片４，５を常時所定の間隔に保持する。
【０００５】
７は前記一対の挟圧片４，５及び保持部材６を貫通し、上側の挟圧片４から上方に突出するボルトで、その先端部のねじ部７ａには、ナット８が螺合されている。９ａ，９ｂは前記ボルト７の先端部に螺合したナット８の下端部と上側の挟圧片４の上端部とに配置した一対のばね受け体で、これら一対のばね受け体９ａ，９ｂ間には圧縮ばね１０が介挿され、前記圧縮ばね１０の付勢力により、一対の挟圧片４，５は互いに相対する方向に付勢される。
【０００６】
次に、図６を参照しながら、前記可動接点３を組立てる場合について説明する。前記可動接点３を組立てる場合は、まず、上，下一対の挟圧片４，５の間に保持部材６を介挿した状態で、下側の挟圧片５の下方からボルト７を、下側の挟圧片５→保持部材６→上側の挟圧片４の順に貫通させ、上側の挟圧片４の上方に突出させる。つづいて、前記上側の挟圧片４の上方に突出するボルト７の先端部側に、下側のばね受け体９ｂ→圧縮ばね１０→上側のばね受け体９ａの順に嵌挿し、この状態で、前記ボルト７のねじ部７ａにナット８を螺合させることにより、前記可動接点３の組立を終了する。
【０００７】
この結果、前記のように構成した可動接点３においては、圧縮ばね１０による下向きの付勢力がばね受け体９ｂを介して上側の挟圧片４に、また、上向きの付勢力がばね受け体９ａ及びボルト７を介して下側の挟圧片５にそれぞれ伝達されるので、前記挟圧片４，５は互いに相対する方向に付勢されて、図６で示すように、集電接触子１及び固定接点２の上，下両端面に所定の押圧力で当接する。
【０００８】
そして、前記可動接点３は、図示しない間欠送り機構の駆動に伴って、例えば、放射状に複数配置されている任意の固定接点２，２間を、図５に矢印で示す方向（時計方向，反時計方向）に間欠的に回動し、前記回動した部位に位置する任意の固定接点２と集電接触子１とを電気的に接続することにより、変圧器等のタップ巻線のタップを切換えることができる。
【０００９】
【発明が解決しようとする課題】
然るに、前記可動接点は、図５に矢印で示すように、周方向（時計方向，反時計方向）に回動することによって、前記周方向に複数配置した固定接点のうちの任意の１個と接触するように構成されている関係上、前記可動接点を構成する一対の挟圧片と固定接点とが円滑・良好に接触しないと、多頻度のタップ切換動作によって摩耗粉が発生し、これによって絶縁油の絶縁耐力が低下する等のおそれがあった。
【００１０】
このため、一般には、図７で示すように、前記固定接点と接触する一対の挟圧片の両端部（図６の左右端）を、その角部の面取りを行う等、特別に加工を行って丸みをもたせた状態で形成することにより、固定接点と挟圧片とを円滑・良好に接触させるようにしていたので、前記挟圧片の製造には手間と時間がかかり、面倒であるばかりでなく、製造コストが嵩むという問題があった。
【００１１】
また、前記可動接点は、上側の挟圧片の上方にボルトを貫通・突出させ、その先端部に螺合したナットと前記上側の挟圧片との間に設けたバネ受け部材により圧縮ばねを保持させることにより、一対の挟圧片を集電接触子及び固定接点の上，下端面に所定の押圧力で当接させるように構成されているので、前記可動接点の高さ方向の寸法は、前記上側の挟圧片の上方に突出するボルト及び圧縮ばねの分だけ大きなものとなり、この結果、前記可動接点と対応して配置されるＵ，Ｖ，Ｗ各相の固定接点及び集電接触子の間隔（絶縁距離）も必然的に大きくなるので、前記可動接点を備えたタップ選択器自体が大形化するばかりでなく、ひいてはタップ切換装置や変圧器等の大形化にもつながるという問題があった。
【００１２】
本発明は、前記種々の問題点に鑑み、タップ選択器やタップ切換装置自体が大形化するのを防ぐとともに、特別な加工を施すことなく製造することが可能なタップ選択器の可動接点を提供することを目的とする。
【００１３】
【課題を解決するための手段】
前記課題を解決するために、請求項１記載の発明は、切換開閉器を介して送・配電線等と接続される集電接触子と、変圧器等のタップ巻線の各タップと接続される複数の固定接点のうちの任意の１個とを電気的に接続する可動接点において、前記可動接点は、前記集電接触子及び固定接点をその上，下方向から挟圧する中空状で、かつ、正面形状を長円形状となした偏平な管体からなる上，下一対の挟圧片と、これら一対の挟圧片を所定の間隔に保持する保持部材と、前記一対の挟圧片間に配置されるばね受け体と、前記ばね受け体内に収納されて、前記一対の挟圧片を互いに相対する方向に付勢する圧縮ばねと、前記圧縮ばね及びばね受け体を貫通して挟圧片の中空状の内周面に突出し、前記一対の挟圧片，圧縮ばね，ばね受け体を一体的に連結するボルト及びこれに螺合されるナットとを備えて構成したことを特徴とする。
【００１４】
請求項２記載の発明は、請求項１記載のタップ選択器の可動接点において、前記ばね受け体は、開口部周縁に鍔部を設けて有底筒状に形成し、一対の挟圧片の上，下方向のいずれか一方から前記挟圧片に嵌着し、前記鍔部を挟圧片の上，下いずれかの端面に当接させて、前記一対の挟圧片間に配置したことを特徴とする。
【００１５】
請求項３記載の発明は、請求項１記載のタップ選択器の可動接点において、前記ばね受け体は、開口部周縁に鍔部を設けて有底筒状に形成し、一対の挟圧片の上，下方向から、各挟圧片に入れ違い状態で嵌着し、前記鍔部を挟圧片の上，下端面にそれぞれ当接させて、前記一対の挟圧片間に配置したことを特徴とする。
【００１６】
請求項４記載の発明は、請求項１記載のタップ選択器の可動接点において、前記一対の挟圧片には、圧縮ばね及びばね受け体を貫通して挟圧片の中空状の内周面に突出するボルトの先端部と対応する部位に、前記ボルトに螺合されるナットよりやや径大な透孔を、挟圧片の中空状の内周面と連通可能に穿孔し、前記ナットを透孔を利用して前記中空状の内周面において、挟圧片の上，下端面から突出させることなくボルトに螺合するようにしたことを特徴とする。
【００１９】
本発明は、中空状で、かつ、正面形状を長円形状となした偏平状の一対の挟圧片に、有底筒状のばね受け体を嵌着して前記一対の挟圧片間に配置し、この状態で、前記ばね受け体内に圧縮ばねを収納するとともに、前記圧縮ばね及び挟圧片にボルトを貫通させ、前記挟圧片の中空状の内周面に突出するボルトに、前記ボルト先端部と対応する位置に穿孔した透孔を利用してナットを螺合することにより、可動接点を特別な加工を施すことなく、小形化して構成することが可能となる。
【００２０】
【発明の実施の形態】
以下、本発明の実施の形態を図１ないし図３により説明する。図１において、２１は図示しない切換開閉器を介して送・配電線等に接続される例えば、円形状の集電接触子、２２は変圧器等のタップ巻線の各タップ（図示せず）と接続され、例えば、前記円形状の集電接触子２１の外側（図１の左側）に、その周方向に沿って放射状に複数配置された固定接点、２３は前記集電接触子２１と固定接点２２の任意の１個とを電気的に接続する可動接点である。
【００２１】
次に、前記可動接点２３の構成について説明する。図２，３において、２４，２５は可動接点２３の要部を構成する一対の挟圧片で、中空状で、かつ、正面形状を長円形状となして偏平状に形成した導電材料からなる管体により構成されており、その両端部（図２の左右端）を集電接触子２１及び固定接点２２の上，下端部に当接させることにより、前記集電接触子２１及び固定接点２２を上，下方向から挟圧する。２６は前記一対の挟圧片２４，２５間に介挿した保持部材で、前記挟圧片２４，２５を常時所定の間隔に保持する。
【００２２】
２７，２８は有底筒状に形成した一対のばね受け体で、図２で示すように、前記一対のばね受け体２７，２８を、上側の挟圧片２４に、該上側の挟圧片２４の上方から下側の挟圧片２５側に向かって貫通させ、その開口部周縁に設けた鍔部２７ａ，２８ａを上側の挟圧片２４の上端部に当接させることにより、前記上側の挟圧片２４に、その下側方向への抜脱を阻止した状態で嵌着されている。
【００２３】
なお、前記ばね受け体２７，２８は、前記のように上側の挟圧片２４の上方から、該上側の挟圧片２４に嵌着する代わりに、下側の挟圧片２５の下方から、前記ばね受け体２７，２８を上側の挟圧片２４側に向かって貫通させ、その開口部周縁に設けた鍔部２７ａ，２８ａを下側の挟圧片２５の下端部に当接させることにより、前記下側の挟圧片２５に嵌着するようにしてもよい。
【００２４】
３０は前記一対の挟圧片２４，２５を互いに相対する方向に付勢する圧縮ばねで、その中央部に貫通させたボルト２９の頂部と、前記ばね受け体２７，２８の底面との間に、前記ボルト２９により所定寸法押し縮められた状態で介挿されている。なお、前記ボルト２９は、圧縮ばね３０及びばね受け体２７，２８底面を貫通して、下側の挟圧片２５の中空状の内周面側に突出しており、その長さ寸法は、前記圧縮ばね３０を所定寸法押し縮めたときに、その先端部が下側の挟圧片２５の下端面から突出しない寸法に設定する。
【００２５】
３２は下側の挟圧片２５の下端面に穿孔した透孔であり、前記下側の挟圧片２５の中空状の内周面側に突出するボルト２９の先端部と対応する位置に、前記中空状の内周面と連通可能な状態で、かつ、前記ボルト２９に螺合されるナット３１を挿通することが可能な大きさで穿孔されており、前記透孔３２を利用して前記中空状の内周面にナット３１を挿通し、前記ナット３１を中空状の内周面においてボルト２９に螺合することにより、前記ナット３１は、挟圧片２５の下端面から突出することなく、下側の挟圧片２５の内周面に当接させることができる。
【００２６】
次に、図２を参照しながら、前記可動接点２３を組立てる場合について説明する。前記可動接点２３を組立てる場合は、まず、一対の挟圧片２４，２５の間に保持部材２６を介挿した状態で、上側の挟圧片２４の上方からばね受け体２７，２８を、前記上側の挟圧片２４に嵌着し、その開口部周縁に設けた鍔部２７ａ，２８ａを上側の挟圧片２４の上端部に当接させる。
【００２７】
つづいて、前記ばね受け体２７，２８内に圧縮ばね３０を収納し、この状態で、ボルト２９を前記圧縮ばね３０及びばね受け体２７，２８を貫通させて、前記圧縮ばね３０を所定寸法押し縮めた状態で、下側の挟圧片２５の中空状の内周面に突出させ、前記ボルト２９先端部のねじ部２９ａに、透孔３２を利用してナット３１を螺合し、前記ナット３１を下側の挟圧片２５内周面に当接させることにより、前記可動接点２３の組立を終了する。
【００２８】
この結果、前記のように構成した可動接点２３においては、圧縮ばね３０がばね受け体２７，２８内に所定寸法押し縮められた状態で収納されているので、前記圧縮ばね３０が元の状態に戻ろうとすることによって生じる下向きの付勢力は、ばね受け体２７，２８及びその鍔部２７ａ，２８ａを介して上側の挟圧片２４を下向きに付勢するように働き、かつ、上向きの付勢力はボルト２９及びナット３１を介して下側の挟圧片２５を上向きに付勢するように働く結果、前記上側及び下側の挟圧片２４，２５は、互いに相対する方向に付勢されて、図２で示すように、集電接触子２１及び固定接点２２の上，下両端面に所定の押圧力で当接する。
【００２９】
そして、前記可動接点２３は、図示しない間欠送り機構の駆動に伴って、例えば、周方向に沿って放射状に複数配置されている任意の固定接点２２，２２間を、図１に矢印で示す方向（時計方向，反時計方向）に間欠的に回動し、前記回動した部位に位置する任意の固定接点２２と集電接触子２１とを電気的に接続することにより、変圧器等のタップ巻線のタップを切換えることができる。
【００３０】
前記のように、本発明によれば、集電接触子２１及び固定接点２２を挟圧する上，下一対の挟圧片２４，２５を、中空状で、かつ、正面形状を長円形状となした管体により構成したので、その両端部（図２の左右端）の角部は、図３で示すように、あらかじめ丸みをもたせた状態で形成される結果、特別に面取り等の加工を行うことなく、円滑・良好に前記挟圧片２４，２５と固定接点２２とを接触させることが可能となる。
【００３１】
また、前記挟圧片２４，２５は中空状であるため、該挟圧片２４，２５と固定接点２２との接触部に電流が通電されることによって熱が発生した場合、前記中空状の挟圧片２４，２５内を絶縁油が通流することにより、良好な放熱効果を得ることができる。
【００３２】
更に、上側の挟圧片２４に嵌着され、保持部材２６によって所定の間隔に保持されている一対の挟圧片２４，２５間に位置している有底筒状のばね受け体２７，２８内に、圧縮ばね３０を収納するとともに、前記圧縮ばね３０及びばね受け体２７，２８を貫通するボルト２９を、下側の挟圧片２５から突出しない長さ寸法で形成し、更に、下側の挟圧片２５の中空状の内周面において、ナット３１を前記ボルト２９に螺合するようにしたので、挟圧片２４，２５の上，下方向に圧縮ばね３０，ボルト２９，ナット３１を突出させることなく、可動接点２３を、その高さ方向の寸法を小さくして構成することが可能となる。
【００３３】
従って、Ｕ，Ｖ，Ｗ各相の可動接点２３の間隔（距離）を小さくすることができるとともに、前記可動接点２３と対応して配置される、Ｕ，Ｖ，Ｗ各相の固定接点２２及び集電接触子２１の間隔（距離）も縮小することができ、この結果、タップ選択器自体を小形化することが可能となり、これに伴って、タップ切換装置や変圧器等の小形化も可能となる。
【００３４】
次に、図４により、本発明の第２実施例について説明する。第１実施例と第２実施例との相違点は、ばね受け体２７，２８の挟圧片２４，２５への嵌着構造、即ち、挟圧片２４，２５の上，下方向からばね受け体２７，２８を、前記挟圧片２４，２５に入れ違い状態で嵌着するようにした点にある。なお、第２実施例において、第１実施例と同一部材は同一符号により説明する。
【００３５】
第２実施例において、ばね受け体２７，２８を一対の挟圧片２４，２５に嵌着する場合は、一方のばね受け体２７を、上側の挟圧片２４の上方から下側の挟圧片２５側に向かって貫通させ、その開口部周縁に設けた鍔部２７ａを上側の挟圧片２４の上端面に当接するとともに、他方のばね受け体２８を、下側の挟圧片２５の下方から上側の挟圧片２４側に向かって貫通させ、その開口部周縁に設けた鍔部２８ａを下側の挟圧片２５の下端面に当接することにより、前記一対のばね受け体２７，２８は、一対の挟圧片２４，２５に、その上，下方向から入れ違い状態で嵌着する。
【００３６】
なお、前記の状態で、ばね受け体２７，２８内に圧縮ばね３０を収納し、つづいて、ボルト２９を前記圧縮ばね３０及びばね受け体２７，２８を貫通させて、前記圧縮ばね３０を所定寸法押し縮めた状態で、上，下各挟圧片２４，２５の中空状の内周面にそれぞれ突出させ、前記ボルト２９先端部のねじ部２９ａに、透孔３２を利用してナット３１を螺合し、前記ナット３１を挟圧片２４，２５内周面に当接させることにより、可動接点２３を組立てることができる。
【００３７】
この結果、前記のように構成した可動接点２３においては、圧縮ばね３０がばね受け体２７，２８内に所定寸法押し縮められた状態で収納されているので、前記ばね受け体２７，２８内に収納されている各圧縮ばね３０が元の状態に戻ろうとすることにより生じる下向きの付勢力は、ばね受け体２７側では該ばね受け体２７及びその鍔部２７ａを介して、ばね受け体２８側ではボルト２９及びナット３１を介してそれぞれ上側の挟圧片２４を下向きに付勢するように働き、かつ、上向きの付勢力は、ばね受け体２７側ではボルト２９及びナット３１を介して、ばね受け体２８側では該ばね受け体２８及びその鍔部２８ａを介してそれぞれ下側の挟圧片２５を上向きに付勢するように働く結果、前記上側及び下側の挟圧片２４，２５は、互いに相対する方向に付勢されて、図４で示すように、集電接触子２１及び固定接点２２の上，下端面に所定の押圧力で当接する。
【００３８】
前記のように、本発明の第２実施例によれば、可動接点２３は、圧縮ばね３０，ボルト２９，ナット３１を一対の挟圧片２４，２５の上，下方向から突出させることなく、高さ方向の寸法を小さくして構成することができるとともに、圧縮ばね３０を収納するばね受け体２７，２８を、一対の挟圧片２４，２５の上，下方向から、該挟圧片２４，２５に入れ違い状態で嵌着するようにしたことにより、前記挟圧片２４，２５は、上，下とも同一形状のものを使用することが可能となり、この結果、可動接点２３を構成する部品を統一化することができる。
【００３９】
なお、本発明は、円形状の集電接触子２１と、その外側に周方向に沿って放射状に複数配置した固定接点２２とを、可動接点２３を所定角度回動させることによって電気的に接続するようにした例により説明したが、これに限定されるものではなく、例えば、直線状の集電接触子と、これと平行に複数配置した固定接点とを、可動接点を直線方向に移動させることにより電気的に接続するようにしてもよい。
【００４０】
【発明の効果】
本発明は、以上説明したように、集電接触子及び固定接点を挟圧する上，下一対の挟圧片を、中空状で、かつ、正面形状を長円形状となした偏平状の管体により構成したので、その両端部の角部は、あらかじめ丸みをもたせた状態で形成することが可能となり、この結果、特別に面取り等の加工を行うことなく製造することができるとともに、前記挟圧片と固定接点とを良好に接触させて摩耗粉の発生を抑制することが可能となる。
【００４１】
また、可動接点に中空状の挟圧片を採用したことにより、前記挟圧片と固定接点との接触部に電流が通電されて熱が発生した場合でも、前記中空状の挟圧片内を絶縁油が通流することにより良好に放熱効果が得られ、前記発熱によって絶縁油に悪影響を与えるという問題を確実に回避することが可能となる。
【００４２】
更に、一対の挟圧片を偏平状に形成したこと、有底筒状のばね受け体を挟圧片に嵌着して一対の挟圧片間に位置させ、前記ばね受け体内に圧縮ばねを収納したこと、ボルトを挟圧片から突出しない長さ寸法で形成したこと、ナットを挟圧片の中空状の内周面においてボルトに螺合するようにしたことにより、可動接点は、挟圧片の上，下方向から圧縮ばね，ボルト，ナットを突出させることなく、その高さ方向の寸法を小さくして形成することが可能となる。従って、Ｕ，Ｖ，Ｗ各相の可動接点の間隔を従来に比べて縮小（狭く）することができ、かつ、これと対応して配置されるＵ，Ｖ，Ｗ各相の固定接点及び集電接触子の間隔も縮小（狭く）することが可能となり、この結果、タップ選択器自体を小形化して形成することができるとともに、タップ切換装置や変圧器等の小形化も可能となる。
【００４３】
また、第２実施例においては、圧縮ばねを収納するばね受け体を、一対の挟圧片の上，下方向から、該挟圧片に入れ違い状態で嵌着するようにしたことにより、前記挟圧片は、上，下とも同一形状のものを使用することが可能となり、この結果、可動接点を部品を統一化して構成することができる。
【図面の簡単な説明】
【図１】本発明の可動接点と集電接触子及び固定接点との関係を示す平面図である。
【図２】同じく、可動接点の縦断面図である。
【図３】同じく、可動接点の正面図である。
【図４】ばね受け体の取付構造の第２実施例を示す縦断面図である。
【図５】従来の可動接点と集電接触子及び固定接点との関係を示す平面図である。
【図６】同じく、可動接点の縦断面図である。
【図７】同じく、可動接点の正面図である。
【符号の説明】
２１  集電接触子
２２  固定接点
２３  可動接点
２４，２５  挟圧片
２６  保持部材
２７，２８  ばね受け体
２９  ボルト
３０  圧縮ばね
３１  ナット
３２  透孔
【図１】
0003784575.tif 000002
【図２】
0003784575.tif 000003
【図３】
0003784575.tif 000004
【図４】
0003784575.tif 000005
【図５】
0003784575.tif 000006
【図６】
0003784575.tif 000007
【図７】
0003784575.tif 000008